(57)【要約】【課題】  ミラーとの兼用が可能な画像表示装置の表示画像の輝度を低下させないようにする。【解決手段】  光スイッチ６の第１層２と第２層３との境界面に設ける凹凸の形状を、鋸歯状とする。表示モード時では、光スイッチ６を構成する第１層２の屈折率と、第２層３の屈折率とが、ほぼ同一となるように構成されているので、ディスプレイ部５からの出力光は、第１層２と第２層３との境界面を透過する。よって、使用者は、光スイッチ６を介してディスプレイ部５の表示を見ることができる。ミラーモード時には、光スイッチ６の第１層２と第２層３との鋸歯状の境界面で、利用者側の正面からの入射光が全反射して、利用者側に戻される。【選択図】図１
2007017575.tif 000002
【特許請求の範囲】
【請求項１】
利用者側から見たディスプレイパネルの前面に、表示モードとミラーモードとで光学特性を変化させる光スイッチを配設した画像表示装置であって、
前記光スイッチは、第１の屈折率を有する第１層と、第２の屈折率を有する第２層と、前記第１層と第２層とに同時に電界を印加するための電極とを備え、
前記電極に電界を印加した時に、前記第１層から前記第２層に入射する光の臨界角を変化させることを特徴とする画像表示装置。
【請求項２】
前記光スイッチの前記第１層と前記第２層との境界面に、凹凸が設けられたことを特徴とする請求項１記載の画像表示装置。
【請求項３】
前記光スイッチの前記第１層と前記第２層との境界面に、鋸歯状の凹凸が設けられたことを特徴とする請求項２記載の画像表示装置。
【請求項４】
前記光スイッチの前記第１層と前記第２層との境界面に、円錐形状または角錐形状の凹凸が設けられたことを特徴とする請求項２記載の画像表示装置。
【請求項５】
前記光スイッチの前記第１層と前記第２層との境界面に、円錐台形状または角錐台形状の凹凸が設けられたことを特徴とする請求項２記載の画像表示装置。
【請求項６】
前記光スイッチの前記第１層と前記第２層との境界面に、半球形状の凹凸が設けられたことを特徴とする請求項２記載の画像表示装置。
【請求項７】
前記光スイッチの第１層と第２層の境界面に設けられた前記凹凸の形状をなす前記鋸歯、前記円錐、前記角錐、前記円錐台、前記角錐台、または前記半球のいずれか１つの傾斜面の傾き角の大きさを、前記光スイッチの反射モード時の臨界角以上としたことを特徴とする請求項３乃至６のいずれか１項に記載の画像表示装置。
【請求項８】
前記光スイッチの前記第１層と前記第２層との境界面に設けられた前記鋸歯状の凹凸の１周期分の幅が、前記ディスプレイパネルの１画素分の幅より短いことを特徴とする請求項３記載の画像表示装置。
【請求項９】
前記光スイッチの前記第１層と前記第２層との境界面に設けられた前記凹凸の形状をなす前記円錐、前記角錐、前記円錐台、前記角錐台、または前記半球のいずれか１つの底面の寸法が、前記ディスプレイパネルの１画素分の寸法よりも小さいことを特徴とする請求項４乃至６のいずれか１項に記載の画像表示装置。
【発明の詳細な説明】
【技術分野】
【０００１】
本発明は、表示モードとミラーモードとの２種類のモードを備えたミラー兼用の画像表示装置に関する。
【背景技術】
【０００２】
近年、携帯電話装置や携帯情報端末装置等に使用される画像表示装置（以下、「ディスプレイ」と略称することもある）を、単なる画像表示装置として使用するだけではなく、鏡（ミラー）として使用できるように構成されたものが提案されている。即ち、このような画像表示装置は、表示モードとミラーモードとの２種類のモードを備え、画像表示装置として使用されない時には、鏡（ミラー）として使用される。
【０００３】
図１６は、従来のミラーを兼用した画像表示装置で使用されるディスプレイ部の概念を示す説明図である。
同図に示すように、前述の画像表示装置（以下、「ミラー兼用ディスプレイ」と呼称することもある）には、「第１の方式」として、利用者側から見てディスプレイ部の前面に、ハーフミラーを配置し、このハーフミラー越しにディスプレイ部を視認できるように構成し、ハーフミラーの光学特性（即ち、暗い方からは、明るい方を視認できるが、明るい方からは暗い方を視認できないという特性）を利用して、ディスプレイ部を、点灯、または消灯に切り替えることで、表示モードとミラーモードとを切り替える方式のものが知られている。
【０００４】
この第１の方式は、ハーフミラーをディスプレイの前面（利用者側）に配置するだけの簡単な構成で、ミラー兼用ディスプレイを実現できる長所がある。
この第１の方式の具体例としては、例えば、特許文献１（特開２００３−５８０６７号公報）や、特許文献２（実用新案登録第３０８７５３９号公報）に開示されているように、ハーフミラーに、透過率と反射率が半々となるように銀等を塗布したもの、即ち、一般的なハーフミラーを採用したものがある。
【０００５】
また、特許文献３（特開２００４−８５５９０号公報）や、特許文献４（特開２００４−８６１４５号公報）に開示されているように、ハーフミラーに、特定の偏光を反射し、それ以外を透過する偏光板（反射型偏光板）を採用したものがある。
【０００６】
図１７は、従来のミラーを兼用した画像表示装置で使用されるディスプレイ部の他の概念を示す説明図である。また、図１８は、従来のミラーを兼用した画像表示装置で使用される反射型液晶パネルの構造を示す説明図である。
図１７，１８に示すように、前述のミラー兼用ディスプレイには、「第２の方式」として、利用者側から見て、ディスプレイ部の前面に透過モードと反射モードを備えた反射型液晶パネル（モード切替手段）を配置し、反射型液晶パネル越にディスプレイ部を視認できるように構成し、反射型液晶パネルを透過モードと反射モードに切り替えることで、表示モードとミラーモードとを切り替える方式のものも知られている。
【０００７】
前記第２の方式の具体例としては、例えば、特許文献５（特開２００１−３１８３７４号公報）に開示されているように、図１８に示される吸収型偏光板、制御電極、ガラス基盤、液晶層、ガラス基盤、制御基盤、反射型偏光板で構成された反射型液晶パネルを、ディスプレイ部の前面に配置し、この反射型液晶パネルを、表示モード時には透過モード、ミラーモード時には反射モードとすることで、前述の第１の方式の欠点である表示モードでの外光による画面の映り込みの抑制している。
【特許文献１】特開２００３−５８０６７号公報
【特許文献２】実用新案登録第３０８７５３９号公報
【特許文献３】特開２００４−８５５９０号公報
【特許文献４】特開２００４−８６１４５号公報
【特許文献５】特開２００１−３１８３７４号公報
【発明の開示】
【発明が解決しようとする課題】
【０００８】
しかしながら、上記背景技術で述べた従来の画像表示装置にあっては、前述の第１の方式の場合、ハーフミラーの反射特性が、表示モード、ミラーモードに関係なく一定であるため、外光による画面の映り込みが発生し、表示モードでの画像の表示品質が低下するという問題点があった。
【０００９】
また、前述の第２の方式の場合、特定の偏光のみを透過する反射型液晶パネルを使用するため、ディスプレイ部に、エレクトロ・ルミネッセンス（以下、ＥＬと呼称）等の自己発光型表示デバイスを採用した場合、反射型液晶パネルによって、ディスプレイ部からの光出力が減衰されて、表示画像が暗くなり、表示品質が低下するという問題点があった。なお、この表示画像の輝度の低下による表示品質の劣化を補おうとする場合には、ディスプレイ部の輝度を大きくする必要があるので、ディスプレイの消費電力を増加させるという問題点があった。
【００１０】
本発明は、上記従来の問題点に鑑みてなされたものであって、ミラーとの兼用を実現するために、ディスプレイ部の利用者側に、透過状態と、全反射を利用した反射状態との２つのモードの切り替えを実現する光スイッチを配設することで、ミラーとの兼用を可能にすると共に表示画像の輝度を低下させない画像表示装置を提供することを目的としている。
【課題を解決するための手段】
【００１１】
本発明は、上記した従来の画像表示装置の課題に鑑みてなされたものであり、利用者側から見たディスプレイパネルの前面に、表示モードとミラーモードとで光学特性を変化させる光スイッチを配設した画像表示装置であって、前記光スイッチは、第１の屈折率を有する第１層と、第２の屈折率を有する第２層と、前記第１層と第２層とに同時に電界を印加するための電極とを備え、前記電極に電界を印加した時に、前記第１層から前記第２層に入射する光の臨界角を変化させることを特徴とする画像表示装置を提供するものである。
【００１２】
また、前記画像表示装置において、前記光スイッチの前記第１層と前記第２層との境界面に、凹凸が設けられたことを特徴とする。
【００１３】
また、前記画像表示装置において、前記光スイッチの前記第１層と前記第２層との境界面に、鋸歯状の凹凸が設けられたことを特徴とする。
【００１４】
また、前記画像表示装置において、前記光スイッチの前記第１層と前記第２層との境界面に、円錐形状または角錐形状の凹凸が設けられたことを特徴とする。
【００１５】
また、前記画像表示装置において、前記光スイッチの前記第１層と前記第２層との境界面に、円錐台形状または角錐台形状の凹凸が設けられたことを特徴とする。
【００１６】
また、前記画像表示装置において、前記光スイッチの前記第１層と前記第２層との境界面に、半球形状の凹凸が設けられたことを特徴とする。
【００１７】
また、前記画像表示装置において、前記光スイッチの第１層と第２層の境界面に設けられた前記凹凸の形状をなす前記鋸歯、前記円錐、前記角錐、前記円錐台、前記角錐台、または前記半球（球の一部を平面で切り出したもの）のいずれか１つの傾斜面の傾き角（光スイッチの第１層と第２層の境界面を基準面とした場合に、前記基準面と光スイッチの第１層と第２層の境界面に設けられた凹凸の側面と、前記基準面に対する法線の成す角度）の大きさを、前記光スイッチの反射モード時の臨界角以上としたことを特徴とする。
【００１８】
また、前記画像表示装置において、前記光スイッチの前記第１層と前記第２層との境界面に設けられた前記鋸歯状の凹凸の１周期分の幅が、前記ディスプレイパネルの１画素分の幅より短いことを特徴とする。
【００１９】
さらに、前記画像表示装置において、前記光スイッチの前記第１層と前記第２層との境界面に設けられた前記凹凸の形状をなす前記円錐、前記角錐、前記円錐台、前記角錐台、または前記半球のいずれか１つの底面の寸法が、前記ディスプレイパネルの１画素分の寸法よりも小さいことを特徴とする。
【発明の効果】
【００２０】
以上説明したように、本発明の画像表示装置によれば、反射型液晶パネルの代わりに、透過状態と、全反射を利用した反射状態との２つのモードを実現する光スイッチを、電界を印加することで屈折率が変化する材料（例えば、ニオブ酸リチウム（ＬｉＮｂＯ3）、タンタル酸リチウム（ＬｉＴａＯ3）、または液晶等）を用いて構成すると共に、この光スイッチを、ディスプレイ部の利用者側に配置しているので、表示時モードでのディスプレイ部の光出力の透過率を、従来の方式に比較して大きくすることが可能となり、ディスプレイ部の光出力の減衰に起因する輝度低下による表示品質の劣化を小さくできる効果がある。
【００２１】
また、ディスプレイ部の光出力の減衰が小さくなるので、従来のように、表示モードでの表示品質の劣化を補うためにディスプレイの輝度を上げる処置が不要となり、ディスプレイ部の消費電力を抑制できるという効果がある。
【発明を実施するための最良の形態】
【００２２】
以下、本発明の画像表示装置の最良の実施形態について、図面を参照して詳細に説明する。
【００２３】
図１は、本発明の実施形態に係る画像表示装置の表示部の全体構造を示す外観図である。
同図において、本実施形態の画像表示装置の表示部は、画像が表示されるディスプレイ部５（請求項１記載のディスプレイパネル）と、光のスイッチングを行う光スイッチ６と、を具備する。
光スイッチ６は、電力を供給するための上部の電極１と、後述するディスプレイ部５の前面に積層された屈折率ｎ１の第１層２と、第１層２の下部に積層された屈折率ｎ２の第２層３と、電力を供給するための下部の電極４と、を備える。
【００２４】
この光スイッチ６の電極１と電極２との間に電界を印加することで、光源（図示は省略）からの光が第１層２から第２層３に入射した場合の臨界角θ（屈折率の異なる媒質の境界において、光の全反射が発生する角度）が変化し、表示モード／ミラーモードの切り替えを行う構成となっている。
【００２５】
（光スイッチの第１の構成例）
図２は、図１に示す光スイッチ（主要部）のサイズを含めた拡大構造を示す模式図である。
同図に例示する光スイッチ６の構造では、光スイッチ６の第１層２と第２層３との境界面に設ける凹凸の形状を、鋸歯状としている。より具体的には、光スイッチ６を構成する第１層２と第２層３との境界面は、各山あるいは谷の間隔（距離）が、ａ（単位は省略する）の鋸歯状構造となっている。なお、図２では、この光スイッチ６の鋸歯状の凹凸の形状寸法を拡大表示している。
【００２６】
図３は、図２に示す光スイッチの表示モード時における光路を示す模式図である。
また、表示モード（透過モード）時では、光スイッチ６を構成する第１層２の屈折率ｎ１と、第２層３の屈折率ｎ２とが、ほぼ同一となるように構成されているので、ディスプレイ部５からの出力光（第２層３側への入射光）は、第１層２と第２層３との境界面を透過する。よって、使用者は、光スイッチ６を介してディスプレイ部５の表示を見ることができる。
【００２７】
図４は、図２に示す光スイッチの反射モード時における光路を示す模式図である。
同図に示すように、反射モード時（以下、「ミラーモード時」と呼称する）には、光スイッチ６の第１層２と第２層３との鋸歯状の境界面で、利用者側の正面からの入射光が全反射して、利用者側に戻される。
【００２８】
図４に示すように、ミラーモード時において、鋸歯状の各面の傾きを４５度とし、光が第１層２側の正面から入射した場合、すなわち、光が第１層２と第２層３との境界面に対して４５度の角度（θ１＝４５度＝π／４ラジアン）で入射した場合で、かつ、谷の角度が直角である場合には、光スイッチ６を構成する第１層２の屈折率ｎ１を、ｎ１≧（ｎ２／ｓｉｎ（π／４））なる条件を満たすように変化させることによって、第１層２と第２層３との境界面で２回全反射した後、光の入射した方向に戻る。この時、ディスプレイ部５を、休止状態（ディスプレイ部５からの出力光が無い状態）とすることで、光スイッチ６を鏡として使用することができる。
【００２９】
なお、この例の場合、ミラーモード時の光スイッチ６の第１層２側への入射光は、複数回反射した上で入射側に戻る。このため、１回の反射で入射側に光が戻る通常の鏡とは異なり、入射点と出射点の位置が異なる。この入射点と出射点の位置が異なることが、視覚的な違和感を生じさせる可能性がある。この問題を回避するため、前記鋸歯状構造の各山あるいは谷の間隔ａは、前記入射点と出射点の位置の違いを使用者が認知できない程度の長さにすることが望ましい。より具体的には、間隔ａを、本発明の画像表示装置のディスプレイ部５の１画素の一辺の長さ以下とすることが望ましい。
【００３０】
（光スイッチの第２の構成例）
図５は、本発明の実施形態に係る画像表示装置の光スイッチの他の１例としての構造を示す斜視図である。
同図に例示する光スイッチ６の構造では、第１層２と第２層３との境界面に設けた凹凸の形状を、四角錐としている。なお、図５では、この光スイッチ６の四角錐の形状寸法を拡大表示している。
【００３１】
図６は、図５に示す光スイッチ（主要部）のサイズを含めた拡大構造を示す模式図である。
表示モード時（光路の図示は省略）には、光スイッチ６の第１層２と第２層３との屈折率はほぼ同一であるため、境界面を鋸歯状とした構造（図２に例示した構造）と同様に、ディスプレイ部からの出力光（第２層３側から入射する光）は、第１層２と第２層３との境界面を透過する。よって、使用者は、光スイッチ６を介してディスプレイ部５の表示を見ることができる。
【００３２】
図７は、図５に示す光スイッチのミラーモード時における光路を示す模式図である。
図７に示すように、ミラーモード時において、四角錐の各面の傾きを４５度とし、光が第１層２側の正面から入射した場合、すなわち、光が第１層２と第２層３との境界面に対して４５度の角度（θ１＝４５度）で入射した場合で、かつ、谷の角度が直角である場合には、光スイッチ６を構成する第１層２の屈折率ｎ１を、ｎ１≧（ｎ２／ｓｉｎ（π／４））なる条件を満たすように変化させることによって、第１層２と第２層３との境界面で２回全反射した後、光の入射した方向に戻る。この時、ディスプレイ部５を、休止状態（ディスプレイ部５からの出力光が無い状態）とすることで、光スイッチ６を鏡として使用することができる。
【００３３】
図５に例示する光スイッチ６の構造では、四角錐の４つの側面を反射に使用するため、鋸歯状の凹凸の２面だけを反射に用いる構造（図２に例示する構造）に比べて、光の反射効率が向上する。
【００３４】
なお、この例の場合、ミラーモード時に光スイッチ６の第１層２側への入射光は、複数回の反射した上で入射側に戻る。このため、１回の反射で入射側に光が戻る通常の鏡とは異なり入射点と出射点の位置が異なる。この入射点と出射点の位置が異なることが、視覚的な違和感を生じさせる可能性がある。この問題を回避するため、前記四角錐の底面の寸法（図６）は、前記入射点と出射点の位置の違いを使用者が認知できない程度の大きさに設計することが望ましい。より具体的には、前記底面の寸法を１画素分の寸法以下とすることが望ましい。
【００３５】
（光スイッチの第３の構成例）
図８は、本発明の実施形態に係る画像表示装置の光スイッチの他の１例としての構造を示す斜視図である。
同図に例示する光スイッチ６の構造では、第１層２と第２層３との境界面に設けた凹凸の形状を、円錐台としている。なお、図８では、この光スイッチ６の円錐台の形状寸法を拡大表示している。
【００３６】
図９は、図８に示す光スイッチ（主要部）のサイズを含めた拡大構造を示す模式図である。図１０は、図８に示す光スイッチの表示モード時における光路を示す模式図である。
【００３７】
図１０に示すように、表示モードの際には、第１層２と第２層３の屈折率はほぼ同一であるため、境界面を鋸歯状とした構造（図２に例示する構造）と同様に、ディスプレイ部５からの出力光（第２層３側から入射する光）は、第１層２と第２層３の境界面を透過する。このため、使用者は、光スイッチ６を介してディスプレイ部５の表示を見ることができる。
【００３８】
図１１は、図８に示す光スイッチのミラーモード時における光路を示す模式図である。
図１１に示すように、ミラーモード時において、円錐台の側面の傾きを６０度とし、光が第１層２側の正面から入射した場合、すなわち、光が第１層２と第２層３との境界面に対して６０度の角度（θ１＝６０度＝π／３ラジアン）で入射した場合には、光スイッチ６を構成する第１層２の屈折率ｎ１を、ｎ１≧（ｎ２／ｓｉｎ（π／３））なる条件を満たすように変化させることによって、第１層２と第２層３との境界面で３回全反射した後、光の入射した方向に戻る。この時、ディスプレイ部５を、休止状態（ディスプレイ部５からの出力光が無い状態）とすることで、光スイッチ６を鏡として使用することができる。
【００３９】
図８に例示する光スイッチ６の構造では、第１層２側の正面から入射した光を、３回の反射を経て入射側に戻すため、第１層２側の正面から入射した光を、２回の反射を経て入射側に戻す前述の構成例（図２、及び図５）に比べて、臨界角が大きくなる傾向にある。光スイッチを構成する第１層２の屈折率ｎ１の変化量（表示モード時とミラーモード時における変化量）を小さくすることができる。このため、光スイッチ６の第１層２を形成する媒質については、その選択の幅を広げることができる。
【００４０】
この例では、ミラーモード時に、光スイッチ６の第１層２側への入射光は、複数回反射した上で入射側に戻る。このため、１回の反射で入射側に光が戻る通常の鏡とは異なり、入射点と出射点の位置が異なる。この入射点と出射点の位置が異なることが、視覚的な違和感を生じさせる可能性がある。この問題を回避するため、前記円錐台の底面の寸法（図９参照）は、前記入射点と出射点の位置の違いを使用者が認知できない程度の大きさに設計することが望ましい。より具体的には、前記底面の寸法を１画素分の寸法以下とすることが望ましい。
【００４１】
（光スイッチの第４の構成例）
図１２は、本発明の実施形態に係る画像表示装置の光スイッチの他の１例としての構造を示す斜視図である。
同図に例示する光スイッチ６の構造では、光スイッチの第１層２と第２層３との境界面に設けた凹凸の形状を、半球としている。なお、図１２では、この光スイッチ６の半球の形状寸法を拡大表示している。
【００４２】
図１３は、図１２に示す光スイッチ（主要部）のサイズを含めた拡大構造を示す模式図である。図１４は、図１２に示す光スイッチの表示モード時における光路を示す模式図である。
【００４３】
表示モード時には、第１層２と第２層３の屈折率はほぼ同一であるため、境界面を鋸歯状とした構造（図２に例示する構造）と同様に、ディスプレイ部５からの出力光（第２層３側への入射光）は、第１層２と第２層３との境界面を透過する。このため、使用者は、光スイッチ６を介してディスプレイ部５の表示を見ることができる。
【００４４】
図１５は、図１２に示す光スイッチのミラーモード時における光路を示す模式図である。
同図に示すように、ミラーモード時には、第１層２側への入射光は、第１層２と第２層３との境界面で複数回全反射した後、光の入射した方向に戻ることになる。この時、ディスプレイ部５を休止状態（ディスプレイ部５からの出力光が無い状態）とすることで、光スイッチ６を鏡として使用することができる。
【００４５】
この例では、ミラーモード時に光スイッチの第１層２側への入射光は、複数回反射した上で入射側に戻る。このため、１回の反射で入射側に光が戻る通常の鏡とは異なり、入射点と出射点の位置が異なることになり、この入射点と出射点の位置が異なることが、視覚的な違和感を生じさせる可能性がある。この問題を回避するため、前記半球の底面の寸法（図１３）は、前記入射点と出射点の位置の違いを使用者が認知できない程度の大きさに設計することが望ましい。より具体的には、前記底面の寸法を１画素分の寸法以下とすることが望ましい。
【００４６】
前記の各構成例では、表示モード時とミラーモード時に、光スイッチ６の第１層２の屈折率ｎ１の大きさが変化する場合を挙げて、それぞれの機能を説明した。しかしながら、光スイッチ６の第１層２と第２層３の屈折率（ｎ１，ｎ２）が、各々、前述の表示モード時とミラーモード時の条件に合うのであれば、表示モード時とミラーモード時とで屈折率が変化する箇所は、必ずしも第１層２の媒質だけと限定する必要は無い。必要に応じて、第２層３の媒質の屈折率を表示モード時とミラーモード時とで変化するように構成してもよいし、若しくは第１層２と第２層３の両方の屈折率が、表示モード時とミラーモード時とで変化するように構成してもよい。
【図面の簡単な説明】
【００４７】
【図１】本発明の実施形態に係る画像表示装置の表示部の全体構造を示す外観図である。
【図２】図１に示す光スイッチ（主要部）のサイズを含めた拡大構造を示す模式図である。
【図３】図２に示す光スイッチの表示モード時における光路を示す模式図である。
【図４】図２に示す光スイッチの反射モード時における光路を示す模式図である。
【図５】本発明の実施形態に係る画像表示装置の光スイッチの他の１例としての構造を示す斜視図である。
【図６】図５に示す光スイッチ（主要部）のサイズを含めた拡大構造を示す模式図である。
【図７】図５に示す光スイッチのミラーモード時における光路を示す模式図である。
【図８】本発明の実施形態に係る画像表示装置の光スイッチの他の１例としての構造を示す斜視図である。
【図９】図８に示す光スイッチ（主要部）のサイズを含めた拡大構造を示す模式図である。
【図１０】図８に示す光スイッチの表示モード時における光路を示す模式図である。
【図１１】図８に示す光スイッチのミラーモード時における光路を示す模式図である。
【図１２】本発明の実施形態に係る画像表示装置の光スイッチの他の１例としての構造を示す斜視図である。
【図１３】図１２に示す光スイッチ（主要部）のサイズを含めた拡大構造を示す模式図である。
【図１４】図１２に示す光スイッチの表示モード時における光路を示す模式図である。
【図１５】図１２に示す光スイッチのミラーモード時における光路を示す模式図である。
【図１６】従来のミラーを兼用した画像表示装置で使用されるディスプレイ部の概念を示す説明図である。
【図１７】従来のミラーを兼用した画像表示装置で使用されるディスプレイ部の他の概念を示す説明図である。
【図１８】従来のミラーを兼用した画像表示装置で使用される反射型液晶パネルの構造を示す説明図である。
【符号の説明】
【００４８】
１，４  電極
２  第１層
３  第２層
５  ディスプレイ部
６  光スイッチ
【図１】
2007017575.tif 000003
【図２】
2007017575.tif 000004
【図３】
2007017575.tif 000005
【図４】
2007017575.tif 000006
【図５】
2007017575.tif 000007
【図６】
2007017575.tif 000008
【図７】
2007017575.tif 000009
【図８】
2007017575.tif 000010
【図９】
2007017575.tif 000011
【図１０】
2007017575.tif 000012
【図１１】
2007017575.tif 000013
【図１２】
2007017575.tif 000014
【図１３】
2007017575.tif 000015
【図１４】
2007017575.tif 000016
【図１５】
2007017575.tif 000017
【図１６】
2007017575.tif 000018
【図１７】
2007017575.tif 000019
【図１８】
2007017575.tif 000020